(57)【要約】    【課題】      携帯電話に代表される通信端末装置に好適な解像度の動画像データと、動画像データよりも高い解像度の圧縮データを、簡単な構成かつ単純なインタフェースで得ること。    【解決手段】  撮像素子１０２は、入射した被写体からの光に光電変換を施して、得られた撮像データを同期信号発生部１０６が発生する同期信号に同期した映像信号で出力する。圧縮部１０４は、ディジタル画像データを圧縮する。解像度変換部１０７は、ディジタル画像データ１６１の解像度を縮小する。出力部１０５は、制御インタフェース１０９から与えられる選択信号の指示に従い、解像度縮小後のディジタル画像データ１６４とバッファリングされた圧縮データのいずれかを選択する。インタフェース信号出力部１１０は、選択信号の指示に従い、同期信号と圧縮データイネーブル信号のいずれかを選択して出力する。  【選択図】      図１
2005303512.tif 000002
【特許請求の範囲】
【請求項１】
所定の間隔でデータの有効な期間を示す同期タイミング信号を出力する同期信号発生手段と、前記同期タイミング信号のタイミングで撮像した画像データを出力する撮像手段と、前記画像データを圧縮して圧縮データを生成する圧縮手段と、前記画像データまたは前記圧縮データのいずれかを選択して出力するインタフェース信号出力手段と、を具備し、
前記圧縮手段は、前記圧縮データが出力される場合に、有効な圧縮データが出力されることを示す圧縮イネーブル信号を出力し、前記インタフェース信号出力手段は、前記圧縮データを出力する場合に前記圧縮イネーブル信号を出力し、前記撮像手段において撮像した前記画像データを無圧縮で出力する場合、前記同期タイミング信号を出力することを特徴とするカメラ。
【請求項２】
前記撮像手段において撮像した画像データを、前記撮像手段の解像度より低い解像度の画像データに変換する解像度変換手段を具備し、前記インタフェース信号出力手段は、前記撮像手段において撮像した画像データを無圧縮で出力する場合、前記同期タイミング信号と前記解像度変換手段において変換された画像データを出力することを特徴とする請求項１に記載のカメラ。
【請求項３】
圧縮された画像データを一時記憶するバッファ手段を具備し、前記インタフェース信号出力手段が前記撮像手段において撮像した画像データを無圧縮で出力する場合、前記バッファ手段と、前記圧縮手段は動作を停止することを特徴とする請求項１または請求項２に記載のカメラ。
【請求項４】
前記インタフェース信号出力手段が前記圧縮手段において圧縮された画像データを出力する場合、前記同期信号発生手段の動作を停止することを特徴とする請求項１から請求項３のいずれかに記載のカメラ。
【請求項５】
前記インタフェース信号出力手段が前記圧縮手段において圧縮された画像データを出力する場合、前記解像度変換手段の動作を停止することを特徴とする請求項２に記載のカメラ。
【請求項６】
請求項１から請求項５のいずれかに記載のカメラから出力された非圧縮の画像データまたは圧縮された画像データのいずれかを受信する受信手段と、受信した画像データが圧縮データである場合、前記圧縮イネーブル信号を受信した時に受信したデータを有効なデータとして圧縮された画像データを伸張し、受信した画像データが非圧縮データである場合、同期タイミング信号を受信した時に受信したデータを有効なデータとして伸張せずに出力する伸張手段と、前記伸張手段より出力された画像データを表示する表示手段と、を具備することを特徴とする電子機器。
【請求項７】
送信側において、所定の間隔でデータの有効な期間を示す同期タイミング信号を出力し、前記同期タイミング信号のタイミングで撮像した画像データを出力し、前記画像データを圧縮して圧縮データを生成し、さらに有効な圧縮データが出力されることを示す圧縮イネーブル信号を出力し、前記圧縮データを出力する場合は圧縮イネーブル信号を出力し、前記画像データを無圧縮で出力する場合は前記同期タイミング信号を出力し、
受信側において、受信した画像データが圧縮データである場合、前記圧縮イネーブル信号を受信した時に受信したデータを有効なデータとして圧縮された画像データを伸張し、受信した画像データが非圧縮データである場合、同期タイミング信号を受信した時に受信したデータを有効なデータとして伸張せずに出力し、出力された画像データを表示することを特徴とするデータ転送方法。
【発明の詳細な説明】
【技術分野】
【０００１】
本発明は、カメラおよびデータ転送方法に関し、特に静止画像撮影機能と動画像通信機能とを兼ね備えた電子装置に用いて好適なカメラおよびデータ転送方法に関する。
【背景技術】
【０００２】
近年、携帯電話に代表される通信端末装置においても、カメラを内蔵することによって、静止画像撮影や、ＴＶ電話などの動画像通信機能が実現している。
【０００３】
一般に、ＴＶ電話など双方向の動画像通信に使われる動画像圧縮方式は、国際標準方式であるＭＰＥＧ−４のシンプル・プロファイル、レベル１である。この動画像圧縮方式に対応した画像データの解像度はＱＣＩＦ（１７６画素×１４４ライン）である。
【０００４】
ここで、携帯電話に代表される通信端末装置に搭載される液晶パネルなどの表示装置の解像度は、水平方向画素数、垂直方向ライン数とも、一般に１００から３００前後である。よってカメラで撮影した画像を液晶パネルにスルー表示させる場合、カメラから出力される動画像データの解像度はＱＣＩＦからＱＶＧＡ（３２０画素×２４０ライン）程度で十分である。
【０００５】
このように、ＭＰＥＧ−４による動画像圧縮とカメラ画像のスルー表示のいずれを行う場合でも、携帯電話に代表される通信端末装置に搭載されるカメラに求められる動画像データの解像度はＱＣＩＦからＱＶＧＡ程度で十分である。
【０００６】
一方で、静止画像撮影した画像は、パーソナルコンピュータなどへ転送し、より解像度の高い表示装置で見ることが考えられる。よって、携帯電話に代表される通信端末装置においても、静止画撮影機能では例えばＶＧＡ（６４０画素×４８０ライン）やメガピクセル（１２８０画素×９６０ライン）など、ＱＣＩＦやＱＶＧＡよりも高い解像度であることが望ましい。
【０００７】
以上のように、携帯電話に代表される通信端末装置に内蔵するカメラに求められる解像度は、動画像としてはＱＣＩＦからＱＶＧＡ程度であるが、静止画像としてはより高い解像度が要求される。
【０００８】
しかし、静止画像の解像度の要求に合わせて高解像度の撮像素子をカメラに使用し、動画像データ使用時も同じ高い解像度の画像データを使うと、撮影した画像データのサイズが大きくなり、カメラ出力信号の転送速度を高くする必要がある。このことは、消費電力が増加する要因となる。また同時に、動画像データ受信側で高い解像度に応じたメモリ容量の増大を招き、その結果、消費電力、コスト、回路規模が増加する。
【０００９】
この問題を解決する方法として、例えば、カメラから出力するデータを圧縮して転送を行う構成がある（例えば特許文献１）。
【００１０】
この構成では、動画像と静止画像の動作モードに応じた解像度で撮像し、動画像と静止画像にそれぞれ適した圧縮を行って圧縮したデータを伝送することにより、カメラから出力するデータを全て圧縮データとすることができ、カメラ出力信号の転送速度を抑え、圧縮データ受信側のメモリ容量も増加しない。
【００１１】
また、例えば、カメラから出力するデータを、撮像素子からの生の画像データとＪＰＥＧなどの圧縮データのいずれかを選択できる構成がある（例えば特許文献２）。
【００１２】
この構成では、画像データを蓄えたメモリから直接に外部記録媒体へデータ転送を行う経路を設け、撮像素子からの生の画像データを外部記録媒体に記録する場合はこの経路を用いる。そして、外部記録媒体に圧縮データを記録する場合は、画像データを蓄えたメモリから信号処理回路へデータを供給し、信号処理回路から圧縮回路を通して、圧縮データが外部記録媒体に書き込まれる。これによって、カメラより生の画像データとＪＰＥＧなどの圧縮データの双方を得ることができる。
【００１３】
この構成では、撮像した被写体の信号を出力する撮像部と、撮像部が出力する画像データを蓄えるメモリと、色変換やγ変換などを行う信号処理回路と、ＪＰＥＧ圧縮などを行う圧縮回路と、外部記録媒体とを備えた構成をとる。画像データを蓄えたメモリから直接に外部記録媒体へデータ転送を行う経路を設け、撮像素子からの生の画像データを外部記録媒体に記録する場合はこの経路を用いる。外部記録媒体に圧縮データを記録する場合は、画像データを蓄えたメモリから信号処理回路へデータを供給し、信号処理回路から圧縮回路を通して、圧縮データが外部記録媒体に書き込まれる。これによって、カメラより生の画像データとＪＰＥＧなどの圧縮データの双方を得ることができる。
【００１４】
しかしながら、特許文献１に記載の構成の装置では、カメラから得られる動画像が圧縮データであるため、携帯電話に代表される通信端末装置においてカメラスルー表示を行う場合、圧縮データを伸張する回路が別途必要となる。これは回路規模と消費電力の増大を招く。
【００１５】
また、特許文献２に記載の構成の装置では、撮像部が高解像度化するほど回路規模が増加する。また、外部記録媒体へのデータ書込み経路を複数設ける必要があり、この点でも回路規模が増大する。また外部記録媒体へのデータ書込み制御も複数の方式が必要となり処理の煩雑化を招く。
【００１６】
特に、ＪＰＥＧ等で圧縮しつつデータを出力する場合、圧縮率は原画像データの複雑度に応じて局所毎に異なるのでデータがバースト的に生成され出力される。一方、圧縮せずにカメラで撮像した画像を出力する場合、撮像されたデータは、規則正しく連続的に出力される。従って、この二つの異なる性質のデータを共通の出力バスで出力することが難しい。
【特許文献１】特開平６−３１５１０５号公報
【特許文献２】特開平１１−１１２９３２号公報
【発明の開示】
【発明が解決しようとする課題】
【００１７】
このように、従来の装置においては、解像度の低い動画像と解像度の高い静止画像とを共に扱う場合、回路構成が複雑になるという問題がある。
【００１８】
本発明はかかる点に鑑みてなされたものであり、携帯電話に代表される通信端末装置に好適な解像度の動画像データと、動画像データよりも高い解像度の圧縮データを、簡単な構成かつ単純なインタフェースで得ることができるカメラおよびデータ転送方法を提供することを目的とする。
【課題を解決するための手段】
【００１９】
本発明のカメラは、所定の間隔でデータの有効な期間を示す同期タイミング信号を出力する同期信号発生手段と、前記同期タイミング信号のタイミングで撮像した画像データを出力する撮像手段と、前記画像データを圧縮して圧縮データを生成する圧縮手段と、前記画像データまたは前記圧縮データのいずれかを選択して出力するインタフェース信号出力手段と、を具備し、前記圧縮手段は、前記圧縮データが出力される場合に、有効な圧縮データが出力されることを示す圧縮イネーブル信号を出力し、前記インタフェース信号出力手段は、前記圧縮データを出力する場合に前記圧縮イネーブル信号を出力し、前記撮像手段において撮像した前記画像データを無圧縮で出力する場合、前記同期タイミング信号を出力する構成を採る。
【００２０】
この構成によれば、圧縮されていないデータの同期タイミングまたは圧縮されたデータの出力されるタイミングにデータが有効である制御信号を共通の信号線から出力することにより、受信側において、データの出力タイミングが規則的なディジタル画像データと、データの出力タイミングがバースト的な圧縮データとの種別によらず、共通の信号線でデータが有効なタイミングがわかり、その結果、データを受信する側の回路の構成と制御を共通化でき、回路規模の削減と回路制御の単純化を図ることができる。
【００２１】
さらに、ディジタル画像データをカメラから出力する場合は、同期信号に同期した連続的なディジタル画像データを得ることができ、これを生の動画像データとして扱うことができる。また、圧縮データをカメラから出力する場合は、連続的な圧縮データを得ることができ、例えば圧縮方式がＪＰＥＧであった場合は、これをモーションＪＰＥＧデータとして扱うことができる。
【００２２】
本発明のカメラは、前記撮像手段において撮像した画像データを、前記撮像手段の解像度より低い解像度の画像データに変換する解像度変換手段を具備し、前記インタフェース信号出力手段は、前記撮像手段において撮像した画像データを無圧縮で出力する場合、前記同期タイミング信号と前記解像度変換手段において変換された画像データを出力する構成を採る。
【００２３】
この構成によれば、非圧縮の画像データを送信する場合には、解像度を下げることにより、画像データを圧縮しない場合でも伝送するデータ量を低減することができ、大容量のフレームメモリ等を使用することなく、カメラ出力信号のデータ転送速度を低下させて消費電力を削減し、かつ、ディジタル画像データを受信する側のメモリ容量も削減することができる。
【００２４】
本発明のカメラは、圧縮された画像データを一時記憶するバッファ手段を具備し、前記インタフェース信号出力手段が前記撮像手段において撮像した画像データを無圧縮で出力する場合、前記バッファ手段と、前記圧縮手段は動作を停止する構成を採る。
【００２５】
本発明のカメラは、前記インタフェース信号出力手段が前記圧縮手段において圧縮された画像データを出力する場合、前記同期信号発生手段の動作を停止する構成を採る。
【００２６】
本発明のカメラは、前記インタフェース信号出力手段が前記圧縮手段において圧縮された画像データを出力する場合、前記解像度変換手段の動作を停止する構成を採る。
【００２７】
これらの構成によれば、消費電力を抑え、簡単な回路構成かつ単純なインタフェースで、携帯電話に代表される通信端末装置に好適な解像度の動画像データと、動画像データよりも高い解像度の圧縮データを得ることができる。
【００２８】
本発明の電子機器は、上記いずれかのカメラから出力された非圧縮の画像データまたは圧縮された画像データのいずれかを受信する受信手段と、受信した画像データが圧縮データである場合、前記圧縮イネーブル信号を受信した時に受信したデータを有効なデータとして圧縮された画像データを伸張し、受信した画像データが非圧縮データである場合、同期タイミング信号を受信した時に受信したデータを有効なデータとして伸張せずに出力する伸張手段と、前記伸張手段より出力された画像データを表示する表示手段と、を具備する構成を採る。
【００２９】
この構成によれば、無圧縮の撮像データの出力同期タイミング信号と、圧縮された撮像データの出力が有効であることを示す圧縮イネーブル信号と、を共通の信号線にて出力することにより、受信側において、この信号がデータの有効を示す場合、無圧縮の撮像データの同期タイミングまたは圧縮された撮像データが出力されることがわかるので、いずれのデータの場合においても、信号受け取りのタイミングとすることにより、簡単な構成かつ単純なインタフェースで、複数の異なるデータを受信することができる。
【００３０】
本発明のデータ転送方法は、送信側において、所定の間隔でデータの有効な期間を示す同期タイミング信号を出力し、前記同期タイミング信号のタイミングで撮像した画像データを出力し、前記画像データを圧縮して圧縮データを生成し、さらに有効な圧縮データが出力されることを示す圧縮イネーブル信号を出力し、前記圧縮データを出力する場合は圧縮イネーブル信号を出力し、前記画像データを無圧縮で出力する場合は前記同期タイミング信号を出力し、受信側において、受信した画像データが圧縮データである場合、前記圧縮イネーブル信号を受信した時に受信したデータを有効なデータとして圧縮された画像データを伸張し、受信した画像データが非圧縮データである場合、同期タイミング信号を受信した時に受信したデータを有効なデータとして伸張せずに出力し、出力された画像データを表示するようにした。
【００３１】
この方法によれば、圧縮されていないデータの同期タイミングまたは圧縮されたデータの出力されるタイミングにデータが有効である制御信号を共通の信号線から出力することにより、受信側において、データの出力タイミングが規則的なディジタル画像データと、データの出力タイミングがバースト的な圧縮データとの種別によらず、共通の信号線でデータが有効なタイミングがわかり、その結果、データを受信する側の回路の構成と制御を共通化でき、回路規模の削減と回路制御の単純化を図ることができる。
【発明の効果】
【００３２】
以上説明したように、本発明のカメラおよびデータ転送方法によれば、携帯電話に代表される通信端末装置に好適な解像度の動画像データと、動画像データよりも高い解像度の圧縮データを、簡単な構成かつ単純なインタフェースで得ることができるカメラを提供することが可能となる。
【発明を実施するための最良の形態】
【００３３】
本発明者は、バースト的に出力される圧縮形式のデータと規則正しく出力される無圧縮データでは、データの出力タイミングが異なるが、いずれもデータが有効である信号を出力する点に着目し、本発明をするに至った。
【００３４】
すなわち、本発明の骨子は、無圧縮の撮像データの出力同期信号と、圧縮された撮像データの出力が有効であることを示すイネーブル信号と、を共通の信号線にて出力し、この信号がデータの有効を示す場合、無圧縮の撮像データの同期タイミングまたは圧縮された撮像データが出力されることを意味するようにして、いずれのデータの場合においても受信側において、信号受け取りのタイミングとすることにより、簡単な構成かつ単純なインタフェースで、複数の異なるデータを受信することを可能とすることである。
【００３５】
以下、本発明の実施の形態について図面を参照して詳細に説明する。
【００３６】
（実施の形態１）
図１は、本発明の実施の形態１に係るカメラおよびカメラ周辺の構成を示すブロック図である。
【００３７】
図１において、カメラ１００は、レンズ１０１と、撮像素子１０２と、映像信号処理部１０３と、圧縮部１０４と、出力部１０５と、同期信号発生部１０６と、解像度変換部１０７と、バッファ１０８と、制御インタフェース１０９と、インタフェース信号出力部１１０と、から主に構成される。
【００３８】
また、動画像圧縮伸張部１１１と、ＣＰＵ１１２と、ＣＰＵバス１１３と、表示部１１４と、記録部１１５と、から主にカメラ１００の周辺が構成される。
【００３９】
動画像圧縮伸張部１１１は、入力部１２０と、バッファ１２１と、ＭＰＥＧ−４コーデック１２２と、ホストインタフェース１２３と、から主に構成される。
【００４０】
図示していない被写体からの光は、レンズ１０１を通して撮像素子１０２に入射する。撮像素子１０２は、入射した被写体からの光に光電変換を施して、得られた撮像データを同期信号発生部１０６が発生する同期信号１５０ａ、１５０ｂ、１５０ｃに同期した映像信号１６０として、映像信号処理部１０３に出力する。
【００４１】
ここで同期信号１５０ａは垂直同期信号、１５０ｂはデータクロック信号、１５０ｃは水平同期信号である。
【００４２】
映像信号処理部１０３は、映像信号１６０に対してＡ／Ｄ変換や色変換などを施す。例えば、映像信号処理部１０３は、輝度データと色差データからなるディジタル画像データ１６１を生成する。そして、映像信号処理部１０３は、同期信号発生部１０６が発生する同期信号１５０ａ、１５０ｂ、１５０ｃに同期してディジタル画像データ１６１を圧縮部１０４と解像度変換部１０７に出力する。
【００４３】
圧縮部１０４は、ディジタル画像データ１６１を、例えばＪＰＥＧ方式で圧縮し、圧縮データ１６２をバッファ１０８に出力する。
【００４４】
バッファ１０８は、例えば小容量のＦＩＦＯ（ファースト・イン・ファースト・アウト）メモリで構成される。そして、バッファ１０８は、圧縮データ１６２をバッファリングし、データクロック信号１５０ｂに同期して、圧縮データ１６３を出力部１０５に出力する。
【００４５】
ここで、バッファ１０８に圧縮データ１６２がバッファリングされていないエンプティ状態であり、バッファ１０８から出力される圧縮データ１６３が無効なデータである時は、圧縮データイネーブル信号１６７をディセーブル（無効）とする。また、バッファ１０８に圧縮データ１６２がバッファリングされており、バッファ１０８の出力される圧縮データ１６３が有効な圧縮データである時は、圧縮データイネーブル信号１６７をイネーブル（有効）とする。
【００４６】
解像度変換部１０７は、ディジタル画像データ１６１の解像度を縮小し、情報量を削減した新たなディジタル画像データ１６４を生成し、同期信号発生部１０６が発生する同期信号１５０ａ、１５０ｂ、１５０ｃに同期して出力部１０５に出力する。
【００４７】
出力部１０５は、ＣＰＵ１１２からの制御信号１６８を受信した制御インタフェース１０９から与えられる選択信号１６６の指示に従い、解像度縮小後のディジタル画像データ１６４とバッファリングされた圧縮データ１６３のいずれかを選択し、出力データ１６５として出力する。
【００４８】
インタフェース信号出力部１１０は、選択信号１６６の指示に従い、同期信号１５０ｃと圧縮データイネーブル信号１６７のいずれかを選択し、インタフェース信号１５０ｄとして出力する。
【００４９】
次に、本発明の特徴となる信号出力について説明する。図２および図３は、本実施の形態のカメラの信号タイミングの一例を示す図である。図２および図３において、横軸は時刻を示す。また、図２および図３において、図１と同一の信号については同一の符号を付す。
【００５０】
図２は、実施の形態１に係るカメラより、ディジタル画像データを出力する場合の信号タイミングの一例である。ここでは同期信号１５０ａ、１５０ｂ、１５０ｄに同期して、ディジタル画像データをＹ：Ｃｂ：Ｃｒ＝４：２：２のフォーマットで出力するタイミングを示している。
【００５１】
また、図３は、実施の形態１に係るカメラより、圧縮データを出力する場合の信号タイミングの一例である。ここでは同期信号１５０ａ、１５０ｂ、１５０ｄに同期して、ＪＰＥＧ方式で圧縮データを出力するタイミングを示している。
【００５２】
ここで、図２に示したディジタル画像データ出力と、図３に示した圧縮データ出力では、インタフェース信号１５０ｄの信号タイミングが異なる。
【００５３】
図２に示したディジタル画像データ出力時は、インタフェース信号出力部１１０が水平同期信号１５０ｃを選択して、インタフェース信号１５０ｄとして出力する。インタフェース信号１５０ｄは、１ライン周期で規則的に変化する水平同期信号として機能する。
【００５４】
図３に示した圧縮データ出力時は、インタフェース信号出力部１１０が圧縮データイネーブル信号１６７を選択して、インタフェース信号１５０ｄとして出力する。インタフェース信号１５０ｄは、データクロック単位でカメラ出力データ１６５が有効か無効かを示す圧縮データイネーブル信号として機能する。
【００５５】
本発明の実施の形態１では、同期信号１５０ａ、１５０ｂ、１５０ｄおよび出力データ１６５を動画像圧縮伸張部１１１に供給している。
【００５６】
動画像圧縮伸張部１１１の入力部１２０は、同期信号１５０ａと１５０ｄが両方ともイネーブルである出力データ１６５を、データクロック信号１５０ｂに同期して取り込むことで、出力データ１６５がディジタル画像データか圧縮データかを関知することなく、同一の回路および同一の回路制御で、有効なデータを受信するタイミングがわかり、受信した出力データ１６５をバッファ１２１へ書き込むことができる。
【００５７】
このように、本発明の実施の形態のカメラによれば、圧縮されていないデータの同期タイミングまたは圧縮されたデータの出力されるタイミングにデータが有効である制御信号を共通の信号線から出力することにより、受信側において、データの出力タイミングが規則的なディジタル画像データと、データの出力タイミングがバースト的な圧縮データとの種別によらず、共通の信号線でデータが有効なタイミングがわかり、その結果、データを受信する側の回路の構成と制御を共通化でき、回路規模の削減と回路制御の単純化を図ることができる。
【００５８】
なお、出力部１０５およびインタフェース信号出力部１１０から動画像圧縮伸張部１１１の入力部１２０に伝送される信号は、有線または無線で伝送され、伝送方法には限定されない。
【００５９】
なお、受信側において、バッファ１２１に蓄積されたデータが圧縮されていないディジタル画像データである場合は、ホストインタフェース１２３を通したＣＰＵ１１２の制御によって、ＴＶ電話機能などを実現するためにこのディジタル画像データをＭＰＥＧ−４コーデック１２２で圧縮する、あるいは、表示部１１４へ転送してカメラ画像のスルー表示を行う、などを実現できる。
【００６０】
また、バッファ１２１に蓄積されたデータが圧縮データである場合は、ホストインタフェース１２３を通したＣＰＵ１１２の制御によって、これを記録部１１５へ保存する、などを実現できる。
【００６１】
また、実施の形態１において、例えば撮像素子１０２の解像度を例えばＶＧＡとし、解像度変換部１０７でＶＧＡの解像度をもつディジタル画像データ１６１を例えばＣＩＦの解像度を持つディジタル画像データ１６４に変換するものとすれば、出力部１０５からディジタル画像データを出力するときのデータ転送速度を抑え、消費電力を削減することができる。
【００６２】
また同時に、出力部１０５から圧縮データを出力するときは、ディジタル画像データを出力するときと同一のデータ転送速度で、最大ＶＧＡまでの解像度の画像に対応した圧縮データを出力することができる。
【００６３】
さらに、実施の形態１のカメラにおいては、大容量のフレームメモリ等を必要としないため、回路規模を増大させることがない。
【００６４】
このように、本実施の形態のカメラによれば、消費電力を抑え、簡単な回路構成かつ単純なインタフェースで、携帯電話に代表される通信端末装置に好適な解像度の動画像データと、動画像データよりも高い解像度の圧縮データを得ることができる。
【００６５】
次に、本実施の形態のカメラが出力する信号について説明する。図４は、本実施の形態のカメラの信号タイミングの一例を示す図である。図４において、横軸は時刻を示す。図４において、図１と同一の信号については同一の符号を付す。図４において、垂直同期信号１５０ａの１周期をフレームと呼ぶ。
【００６６】
撮像素子１０２は、垂直同期信号１５０ａに同期してフレームａ１からａ６に示すように映像信号１６０を映像信号処理部１０３に出力する。
【００６７】
映像信号処理部１０３は、映像信号１６０に対してＡ／Ｄ変換や色変換などを施し、例えば輝度データと色差データからなるディジタル画像データ１６１を生成しフレームｂ１からｂ６に示すように、圧縮部１０４と解像度変換部１０７に出力する。
【００６８】
圧縮部１０４は、ディジタル画像データ１６１を、例えばＪＰＥＧ方式で圧縮し、圧縮データ１６２をフレームｄ１からｄ６に示すように、バッファ１０８に出力する。ここで一般に、圧縮部１０４が出力する圧縮データ１６２は、時間的に平均した一様なペースで発生するのではなく、バースト的に発生する。そこでバッファ１０８は、圧縮データ１６２をバッファリングし、バースト的に発生する圧縮データ１６２を、データクロック信号１５０ｂに同期した一様なペースで、出力部１０５に出力する。
【００６９】
解像度変換部１０７は、ディジタル画像データ１６１の解像度を縮小し、情報量を削減した新たなディジタル画像データ１６４を生成し、フレームｃ１からｃ６に示すように、出力部１０５に出力する。
【００７０】
出力部１０５は、ＣＰＵ１１２からの制御信号１６８を受信した制御インタフェース１０９から与えられる選択信号１６６の指示に従い、解像度変換後のディジタル画像データ１６４とバッファ後の圧縮データ１６３のいずれかを選択し、出力データ１６５として出力する。
【００７１】
ここで、制御インタフェース１０９は、ＣＰＵ１１２から受信した制御信号１６８の指示を、垂直同期信号１５０ａに同期した選択信号１６６として出力部１０５に出力する。
【００７２】
このように、本実施の形態のカメラおよび電子機器によれば、無圧縮の撮像データの出力同期信号と、圧縮された撮像データの出力が有効であることを示すイネーブル信号と、を共通の信号線にて出力することにより、受信側において、この信号がデータの有効を示す場合、無圧縮の撮像データの同期タイミングまたは圧縮された撮像データが出力されることがわかるので、いずれのデータの場合においても、信号受け取りのタイミングとすることにより、簡単な構成かつ単純なインタフェースで、複数の異なるデータを受信することができる。
【００７３】
例えば、ディジタル画像データをカメラから出力する場合は、同期信号に同期した連続的なディジタル画像データを得ることができ、これを生の動画像データとして扱うことができる。
【００７４】
また、本実施の形態のカメラによれば、圧縮データをカメラから出力する場合は、同期信号に同期した連続的な圧縮データを得ることができ、例えば圧縮方式がＪＰＥＧであった場合は、これをモーションＪＰＥＧデータとして扱うことができる。
【００７５】
なお、本実施の形態のカメラでは、圧縮部１０４およびバッファ１０８を常時動作するものとしたが、これを出力部１０５が圧縮データ１６３の出力を選択した時だけ動作するものとしても良い。
【００７６】
このように本実施の形態のカメラは、撮像データを圧縮したデータを出力する場合に、圧縮部及びバッファを動作することにより、無圧縮のディジタル画像データを出力している間の消費電力を削減することができる。
【００７７】
また、本実施の形態１のカメラでは、解像度変換部１０７を常時動作するものとしたが、これを出力部１０５がディジタル画像データ１６４の出力を選択した時だけ動作するものとしても良い。
【００７８】
このように、本実施の形態のカメラは、撮像した無圧縮の画像データが出力される場合に、解像度変換部を動作させることにより、カメラが圧縮データを出力している間の消費電力を削減することができる。
【００７９】
また、圧縮部１０４は、１画面を圧縮して得る圧縮データ１６２の符号量を、出力部１０５から１フレーム期間に出力可能な情報量よりも少なくなるよう制御する必要がある。しかし仮に、圧縮データ１６２の符号量が、出力部１０５から１フレーム期間に出力可能な情報量を超えてしまった場合、制御インタフェース１０９にエラーを示すフラグを設け、このフラグを介してＣＰＵへエラー通知を行うように構成しても良い。
【００８０】
（実施の形態２）
図５は、本発明の実施の形態２に係る電子装置の構成の例を示すブロック図である。図５において、図１と同一のブロックおよび信号については同一の符号を付し、詳しい説明を省略する。
【００８１】
図５の電子装置２００は、アンテナ２０１と、ＲＦ部２０２と、ベースバンド信号処理部２０３と、音声コーデック部２０４と、レシーバ２０５と、マイク２０６と、カメラ１００と、動画像圧縮伸張部１１１と、ＣＰＵ１１２と、表示部１１４と、記録部１１５とから主に構成される。
【００８２】
図５において、アンテナ２０１は、無線信号を受信してＲＦ部２０２に受信信号として出力し、また、ＲＦ部２０２から出力された送信信号を送信する。
【００８３】
ＲＦ部２０２は、アンテナ２０１から出力された受信信号をベースバンド周波数にダウンコンバートしてベースバンド信号処理部２０３に出力し、また、ベースバンド信号処理部２０３から出力された送信信号を無線周波数にアップコンバートしてアンテナ２０１に出力する。
【００８４】
ベースバンド信号処理部２０３は、ＲＦ部２０２から出力された受信信号を復調してＣＰＵ１１２に出力し、また、ＣＰＵ１１２から出力された送信信号を変調してＲＦ部２０２に出力する。
【００８５】
ＣＰＵ１１２は、ベースバンド信号処理部２０３から出力された受信信号が音声符号化データである場合、音声符号化データを音声コーデック部２０４に出力し、受信信号が動画像符号化データである場合、動画像符号化データを動画像圧縮伸張部１１１に出力する。また、ＣＰＵ１１２は、音声コーデック部２０４から出力された音声符号化信号を送信信号としてベースバンド信号処理部２０３に出力し、動画像圧縮伸張部１１１から出力された動画像符号化信号を送信信号としてベースバンド信号処理部２０３に出力する。
【００８６】
音声コーデック部２０４は、ＣＰＵ１１２から出力された音声符号化データを復号化し、得られた音声信号をレシーバ２０５に出力し、また、マイク２０６から出力された音声信号を符号化し、得られた音声符号化信号をＣＰＵ１１２に出力する。
【００８７】
レシーバ２０５は、音声コーデック部２０４から出力された音声信号を音声として出力する。マイク２０６は音声を入力して音声信号として音声コーデック部２０４に出力する。
【００８８】
動画像圧縮伸張部１１１は、ＣＰＵ１１２から出力された動画像符号化データを復号して動画像データを生成し、表示部１１４に出力する。また、動画像圧縮伸張部１１１は、カメラ１００からの出力データ１６５がディジタル画像データの場合、これを表示部１１４にスルー表示するとともに、符号化して動画像符号化信号を生成しＣＰＵ１１２に出力する。さらに、動画像圧縮伸張部１１１は、カメラ１００からの出力データ１６５がＪＰＥＧなどの圧縮データの場合、これを記録部１１５に出力する。
【００８９】
表示部１１４は、動画像圧縮伸張部１１１またはＣＰＵ１１２が出力する画像データを表示する。記録部１１５は、カメラ１００が出力したＪＰＥＧなどの圧縮データを保存する。
【００９０】
次に、本実施の形態２に係る電子装置の動作について説明する。受信信号は、アンテナ２０１、ＲＦ部２０２、及びベースバンド信号処理部２０３を介してＣＰＵ１１２出力される。
【００９１】
受信した信号が動画像符号化データである場合、ＣＰＵ１１２は、動画符号化データを動画像圧縮伸張部１１１に出力し、動画像圧縮伸張部１１１は動画像符号化データを復号して動画像データを生成して表示部１１４に出力し、表示部１１４において動画像が表示される。
【００９２】
また、カメラ１００からの出力データ１６５がディジタル画像データの場合、動画像圧縮伸張部１１１において符号化され、ベースバンド信号処理部２０３、ＲＦ部２０２、アンテナ２０１を通して送信される。さらに、カメラ１００から出力されたディジタル画像データは、表示部１１４に出力され、表示部１１４においてカメラ画像が伸張処理などをされることなくスルー表示される。
【００９３】
また、カメラ１００からの出力データ１６５がＪＰＥＧなどの圧縮データの場合、動画像圧縮伸張部１１１は、これを記録部１１５に出力し、記録部１１５はこの圧縮データを保存する。
【００９４】
また、受信した信号が音声符号化データである場合、ＣＰＵ１１２は、音声符号化データを音声コーデック部２０４に出力し、音声コーデック部２０４において音声符号化データから音声信号が生成され、レシーバ２０５に出力される。また、マイク２０６から入力された音声信号は、音声コーデック部２０４において符号化され、ベースバンド信号処理部２０３、ＲＦ部２０２、アンテナ２０１を通して送信される。
【００９５】
本実施の形態２に係る電子装置は、カメラ１００から、例えばＱＣＩＦの解像度を持つ動画像に対応したディジタル画像データと、例えばＶＧＡまでの解像度を持つ静止画像に対応した圧縮データを、同一の信号線を用いて、同一のデータ転送速度で得ることができ、双方向の動画像通信機能や静止画撮影機能を実現することができる。
【００９６】
このように、本実施の形態の電子装置によれば、カメラから出力するデータがディジタル画像データか圧縮データかの種別によらず、データを受信する側の回路の構成と制御を共通化でき、回路規模の削減と回路制御の単純化を図ることができる。
【００９７】
また、カメラがディジタル画像データを出力するときのデータ転送速度を抑えて消費電力を削減すると同時に、携帯電話に代表される通信端末装置などの電子装置において、好適な解像度の動画像データと、動画像データよりも高い解像度の圧縮データを、フレームメモリ等の大容量メモリを使用することなく、同一の信号線を用いて、同一のデータ転送速度で得ることができる。
【００９８】
なお、本発明のカメラは、移動通信システムにおける携帯電話機、携帯テレビ電話機、コンピュータ機能を備える通信端末機等の移動局装置、または有線回線で接続される据え置き型の電話機やテレビ電話機、さらにはテレビ受像機、コンピュータおよびコンピュータ機能を有する情報端末装置等に用いることができる。
【００９９】
この場合、電子装置において好適な解像度の動画像データと、動画像データよりも高い解像度の圧縮データを、カメラから同一の信号線を用いて同一のデータ転送速度で得ることができ、カメラからのデータを受信する側の回路構成および回路制御を共通化して回路規模の削減と回路制御の単純化を図ることができ、カメラが出力するデータ転送速度を抑えて消費電力を削減することができる。
【０１００】
なお、本発明は上記実施の形態に限定されず、種々変更して実施することが可能である。例えば、上記実施の形態では、カメラ装置として行う場合について説明しているが、これに限られるものではなく、このデータ転送方法をソフトウェアとして行うことも可能である。
【０１０１】
例えば、上記データ転送方法を実行するプログラムを予めＲＯＭ（Read Only Memory）に格納しておき、そのプログラムをＣＰＵ（Central Processor Unit）によって動作させるようにしても良い。
【０１０２】
また、上記データ転送方法を実行するプログラムをコンピュータで読み取り可能な記憶媒体に格納し、記憶媒体に格納されたプログラムをコンピュータのＲＡＭ（Random Access Memory）に記録して、コンピュータをそのプログラムにしたがって動作させるようにしても良い。
【産業上の利用可能性】
【０１０３】
本発明のカメラは、通信装置、無線通信端末装置に用いて好適である。
【図面の簡単な説明】
【０１０４】
【図１】本発明の実施の形態１に係るカメラおよびカメラ周辺の構成を示すブロック図
【図２】上記実施の形態のカメラの信号タイミングの一例を示す図
【図３】上記実施の形態のカメラの信号タイミングの一例を示す図
【図４】上記実施の形態のカメラの信号タイミングの一例を示す図
【図５】本発明の実施の形態２に係る電子装置の構成の例を示すブロック図
【符号の説明】
【０１０５】
１０１  レンズ
１０２  撮像素子
１０３  映像信号処理部
１０４  圧縮部
１０５  出力部
１０６  同期信号発生部
１０７  解像度変換部
１０８  バッファ
１０９  制御インタフェース
１１０  インタフェース信号出力部
１１１  動画像圧縮伸張部
１１２  ＣＰＵ
１１３  ＣＰＵバス
１１４  表示部
１１５  記録部
１２０  入力部
１２１  バッファ
１２２  ＭＰＥＧ−４コーデック
１２３  ホストインタフェース
【図１】
2005303512.tif 000003
【図２】
2005303512.tif 000004
【図３】
2005303512.tif 000005
【図４】
2005303512.tif 000006
【図５】
2005303512.tif 000007